(57)【特許請求の範囲】
【請求項１】
揺らめく炎の効果を生成するように構成されている電気照明であって、前記電気照明は：
外側ハウジングであって、該ハウジングの上側面に開口を有する、外側ハウジングと；
前記開口を通って延びる炎要素であって、第１の端部及び第２の端部を有する、炎要素と；
前記外側ハウジングの下側部分内に配置されるとともに、該照明内で空気を移動させることによって前記炎要素を動かすように構成されている、ファンと；
前記ファンに対して前記外側ハウジング内に配置されることによって、前記空気の移動を前記炎要素に対して方向付ける空気導管と、
を備え、
前記空気導管は、空気が該空気導管に入ることができる第１の開口部と空気が該空気導管を出ることができる第２の開口部と、を含み、
前記空気導管の前記第１の開口部は前記ファン付近に位置決めされ、前記空気導管の前記第２の開口部は前記炎要素の前記第２の端部付近に位置決めされる、電気照明。
【請求項２】
前記ファンは前記空気導管内に配置される、請求項１に記載の電気照明。
【請求項３】
前記ファンは、前記空気導管の第１の端部に隣接して配置される、請求項１に記載の電気照明。
【請求項４】
前記空気導管はベルヌーイ管を含む、請求項１に記載の電気照明。
【請求項５】
前記炎要素の第１の端部は前記外側ハウジングの外部に配置され、前記炎要素の前記第２の端部は羽根を含む、請求項１に記載の電気照明。
【請求項６】
前記羽根は、該羽根が前記炎要素に対して回転することができるように該炎要素の前記第２の端部に結合される、請求項５に記載の電気照明。
【請求項７】
前記羽根の直径は、該羽根に最も近い前記空気導管の前記第２の開口部の直径に等しい、請求項５に記載の電気照明。
【請求項８】
前記羽根の直径は、該羽根に最も近い前記空気導管の前記第２の開口部の直径よりも１０％以上大きくなく、前記羽根の前記直径は、該羽根に最も近い前記空気導管の前記第２の開口部の直径の９０％以上である、請求項５に記載の電気照明。
【請求項９】
前記羽根は、前記空気導管の前記第２の開口部に隣接して配置される、請求項５に記載の電気照明。
【請求項１０】
前記羽根は繊維性材料を含む、請求項５に記載の電気照明。
【請求項１１】
前記羽根はプラスチックを含む、請求項５に記載の電気照明。
【請求項１２】
前記羽根は鉄材料又は磁石を含む、請求項５に記載の電気照明。
【請求項１３】
前記電気照明は、前記羽根に隣接して配置される電磁石コイルを更に備え、前記羽根の前記鉄材料又は磁石が、前記電磁石コイルによって生成される電磁場と相互作用して前記羽根を動かすようにする、請求項１２に記載の電気照明。
【請求項１４】
前記羽根は第１のブレード及び第２のブレードを含む、請求項５に記載の電気照明。
【請求項１５】
前記ブレードはそれぞれ、少なくとも部分的に湾曲した表面を含む、請求項１４に記載の電気照明。
【請求項１６】
前記ブレード同士の最大距離は、前記空気導管の前記第２の開口部の直径に等しい、請求項１４に記載の電気照明。
【請求項１７】
前記外側ハウジングはキャンドル状の外観を有する、請求項１に記載の電気照明。
【請求項１８】
前記外側ハウジングは、照明ソケット内に挿入されるように構成されている末端片に結合される、請求項１に記載の電気照明。
【請求項１９】
前記ファンは、空気流を前記炎要素から離すように方向付けるように構成されている、請求項１に記載の電気照明。
【請求項２０】
前記ファンは、空気流を前記炎要素に向かって方向付けるように構成されている、請求項１に記載の電気照明。
【請求項２１】
揺らめく炎の効果を生成するように構成されている電気照明であって、前記電気照明は：
外側ハウジングであって、該外側ハウジングの上側面に開口を有する、外側ハウジングと；
前記開口を通って延びる炎要素と；
前記外側ハウジングの下側部分内に配置されるとともに、該外側ハウジング内で空気を移動させることによって前記炎要素を動かすように構成されている、拡張可能なベローズと、
を備え、
前記拡張可能なベローズは、圧潰可能な壁によって結合されている第１の表面及び第２の表面を含む、電気照明。
【請求項２２】
前記第１の表面は、空気が前記ベローズの内部に出入りするときに通ることができる開口を含み、前記第２の表面は鉄材料又は磁石を含む、請求項２１に記載の電気照明。
【請求項２３】
前記電気照明は、前記拡張可能なベローズの上に配置される電磁石を更に備え、前記第２の表面と、前記電磁石によって生成される電磁場との相互作用によって前記第２の表面を前記電磁石に向かって移動させる、請求項２２に記載の電気照明。
【請求項２４】
前記第１の表面は、（ａ）空気が前記ベローズの内部に出入りするときに通ることができる開口と、（ｂ）鉄材料又は磁石と、を含む、請求項２１に記載の電気照明。
【請求項２５】
前記電気照明は、前記拡張可能なベローズの下に配置される電磁石を更に備え、前記第１の表面と、前記電磁石によって生成される電磁場との相互作用によって前記第１の表面を前記電磁石に向かって移動させる、請求項２３に記載の電気照明。
【請求項２６】
前記炎要素は、前記電磁場と相互作用して該炎要素を動かす鉄材料又は磁石を含む、請求項２３に記載の電気照明。
【請求項２７】
前記炎要素は第１の端部及び第２の端部を更に含み、第１の端部は前記外側ハウジングの外部に配置され、前記第２の端部は羽根を含む、請求項２１に記載の電気照明。
【請求項２８】
前記羽根は、該羽根が前記炎要素に対して回転することができるように該炎要素に結合される、請求項２７に記載の電気照明。
【請求項２９】
前記羽根は、前記第１の表面の前記開口に隣接して配置される、請求項２７に記載の電気照明。
【請求項３０】
前記羽根は第１のブレード及び第２のブレードを含む、請求項２７に記載の電気照明。
【請求項３１】
前記ブレードはそれぞれ、少なくとも部分的に湾曲した表面を含む、請求項３０に記載の電気照明。
【請求項３２】
揺らめく炎の効果を生成するように構成されている電気キャンドルであって、前記電気キャンドルは：
外側ハウジングと；
前記外側ハウジングから延びる炎要素と；
前記外側ハウジング内に配置されるファンと；
前記ファンに隣接して配置される第１の芳香カートリッジと、
を備え、
前記外側ハウジングは、該外側ハウジングの表面に、かつ前記ファンと前記炎要素との間の高さに配置される換気口を含み、
前記外側ハウジングの上側面は、前記第１の芳香カートリッジを受け入れるように構成されている開口部を含む、電気キャンドル。
【請求項３３】
前記第１の芳香カートリッジは、前記外側ハウジング内に挿入可能なサイズ及び寸法である、請求項３２に記載の電気キャンドル。
【請求項３４】
前記外側ハウジングの底面は、前記第１の芳香カートリッジを受け入れるように構成されている開口部を含む、請求項３３に記載の電気キャンドル。
【請求項３５】
前記第１の芳香カートリッジは、前記外側ハウジングの凹部内に挿入可能なサイズ及び寸法である、請求項３２に記載の電気キャンドル。
【請求項３６】
前記炎要素は、前記外側ハウジングに対して適所に固定される、請求項３２に記載の電気キャンドル。
【請求項３７】
前記炎要素は前記外側ハウジング内に取り付けられ、それにより、前記炎要素が前記外側ハウジングに対して動くように構成される、請求項３２に記載の電気キャンドル。
【請求項３８】
揺らめく炎の効果を生成するように構成されている電気キャンドルであって、前記電気キャンドルは：
取り外し可能な芳香モジュールを受け入れるように構成されている第１の開口部を有する外側ハウジングと；
前記外側ハウジングから延びる炎要素であって、前記第１の開口部を通って延びるように構成されており、前記芳香モジュールは、該炎要素が前記第１の開口部内に挿入されると、該炎要素の下側部分に結合される、炎要素と；
前記外側ハウジング内に配置されるファンと、
を備える、電気キャンドル。
【請求項３９】
前記芳香モジュールは第１の開口部は前記外側ハウジングの上側面に配置される、請求項３８に記載の電気キャンドル。
【請求項４０】
前記芳香モジュールは前記炎要素の端部部分に結合される、請求項３８に記載の電気キャンドル。
【請求項４１】
前記第１の開口部は前記外側ハウジングの下側面に配置される、請求項３８に記載の電気キャンドル。
【請求項４２】
前記第１の開口部は、前記外側ハウジングの側壁の凹部を含む、請求項３８に記載の電気キャンドル。
【請求項４３】
前記芳香モジュールの露出した部分が、該芳香モジュールが前記第１の開口部内に挿入されると、前記ファンに隣接して配置される、請求項３８に記載の電気キャンドル。
【請求項４４】
前記外側ハウジング内に配置されるとともに、空気の移動を前記ファンから前記炎要素に対して方向付けるように構成されている空気導管であって、空気が該空気導管に出入りすることができる口を含む、空気導管を更に備える、請求項３８に記載の電気キャンドル。
【請求項４５】
前記ファンは前記空気導管内に配置される、請求項４４に記載の電気キャンドル。
【請求項４６】
前記ファンは前記空気導管に隣接して配置される、請求項４４に記載の電気キャンドル。
【請求項４７】
前記空気導管はベルヌーイ管を含む、請求項４４に記載の電気キャンドル。
【請求項４８】
前記炎要素は第１の端部及び第２の端部を含み、第１の端部は前記外側ハウジングの外部に配置され、前記第２の端部は羽根を含む、請求項４４に記載の電気キャンドル。
【請求項４９】
前記羽根は、該羽根が前記炎要素に対して回転することができるように該炎要素に結合される、請求項４８に記載の電気キャンドル。
【請求項５０】
前記羽根の直径は、該羽根に最も近い前記空気導管の前記口の直径に等しい、請求項４８に記載の電気キャンドル。
【請求項５１】
前記羽根の直径は、該羽根に最も近い前記空気導管の前記口の直径よりも１０％以上大きくなく、前記羽根の前記直径は、該羽根に最も近い前記空気導管の前記口の直径の９０％以上である、請求項４８に記載の電気キャンドル。
【請求項５２】
前記羽根は、前記空気導管の前記口に隣接して配置される、請求項４８に記載の電気キャンドル。
【請求項５３】
前記羽根は繊維性材料を含む、請求項４８に記載の電気キャンドル。
【請求項５４】
前記羽根はプラスチックを含む、請求項４８に記載の電気キャンドル。
【請求項５５】
前記羽根は鉄材料又は磁石を含む、請求項４８に記載の電気キャンドル。
【請求項５６】
前記羽根は第１のブレード及び第２のブレードを含む、請求項４８に記載の電気キャンドル。
【請求項５７】
前記ブレードはそれぞれ、少なくとも部分的に湾曲した表面を含む、請求項５６に記載の電気キャンドル。
【請求項５８】
前記ブレード同士の最大距離は、前記空気導管の前記口の直径に等しい、請求項５６に記載の電気キャンドル。
【請求項５９】
前記外側ハウジングはキャンドル状の外観を有する、請求項３８に記載の電気キャンドル。
【請求項６０】
前記外側ハウジングは、照明ソケット内に挿入されるように構成されている末端片に結合される、請求項３８に記載の電気キャンドル。
【請求項６１】
前記ファンは、空気流を前記炎要素から離すように方向付けるように構成されている、請求項３８に記載の電気キャンドル。
【請求項６２】
前記ファンは、空気流を前記炎要素に向かって方向付けるように構成されている、請求項３８に記載の電気キャンドル。
【請求項６３】
前記ファンに結合されるとともに、時間に応じて前記ファンの速度を変えるように構成されているファンコントローラを更に備える、請求項３８に記載の電気キャンドル。
【請求項６４】
前記炎要素は螺旋状のスプラインを含む、請求項３８に記載の電気キャンドル。
【発明の詳細な説明】
【技術分野】
【０００１】
本発明の分野は、電気照明装置である。
【背景技術】
【０００２】
以下の背景技術の説明は、本発明を理解する上で有用であり得る情報を含む。その説明は、本明細書において与えられる情報がいずれも、本願において特許請求される発明の従来技術若しくは関連技術であるか、又は、具体的に若しくは非明示的に言及される公報がいずれも従来技術であることを認めるものではない。
【０００３】
過去には、布又は他の材料とともにファンを使用して、炎の外観を提供することが一般的であった。例えば、Ｂｒｉｄｇｍａｎへの特許文献１、Ｈａｒｒｉｓｏｎへの特許文献２、Ｌｉｎへの特許文献３、Ｈｓｉｅｈへの特許文献４、Ｌｉｎへの特許文献５、Ｒｏｂｉｎｓｏｎへの特許文献６、及び、Ｒｅｉｃｈｏｗへの特許文献７を参照のこと。しかしながら、そのような装置は通常、特に近距離から見ると非現実的な炎効果を生成するものであった。
【０００４】
照明内の１つ又は複数の光源の輝度を変化させることによって揺らめく炎をまねる種々の他の電気照明が当該技術分野において既知である。しかしながら、そのような光源は、実際の炎の外観を模倣するのではなくキャンドルの輝きを模倣している。
【０００５】
著しい改良において、振り子部材の動きを生成することで炎の揺らめきを模倣するように電磁石を使用することが分かっている。例えば、Ｐａｔｔｏｎ他への特許文献８、Ｓｃｈｎｕｃｋｌｅ他への特許文献９、Ｓｃｈｎｕｃｋｌｅ他への特許文献１０、Ｓｃｈｎｕｃｋｌｅ他への特許文献１１、Ｓｃｈｎｕｃｋｌｅ他への特許文献１２、及び、Ｐａｔｔｏｎ他への特許文献１３を参照のこと。また、振り子部材を動かすためにファンを使用することも周知である。例えば、Ｋｗｏｋ他への特許文献１４、及び、Ｌｉへの特許文献１５を参照のこと。しかしながら、そのような装置は非効率的である可能性があり、本明細書において説明する本発明の主題を用いること等による揺らめく炎を模倣する更に効率的な方法によって改良することができる。
【０００６】
文脈によって相反する内容が指示されない限り、本明細書において記載される全ての範囲は、それらの端点を含むものとして解釈されるべきであり、オープンエンドの範囲は、商業的に実用的な値を含むように解釈されるべきである。同様に、値の全ての列挙は、文脈によって相反する内容が指示されない限り、中間の値を含むものとみなされるべきである。
【先行技術文献】
【特許文献】
【０００７】
【特許文献１】英国特許出願公開第２３７９７３１号明細書
【特許文献２】英国特許出願公開第２３２３１５９号明細書
【特許文献３】米国特許第６４５４４２５号明細書
【特許文献４】米国特許第６３１２１３７号明細書
【特許文献５】米国特許出願公開第２００３／００５３３０５号明細書
【特許文献６】米国特許出願公開第２００４／０１６５３７４号明細書
【特許文献７】米国特許第７６８６４７１号明細書
【特許文献８】米国特許第８１３２９３６号明細書
【特許文献９】米国特許第８０７０３１９号明細書
【特許文献１０】米国特許第７８３７３５５号明細書
【特許文献１１】米国特許第７２６１４５５号明細書
【特許文献１２】米国特許第７１５９９９４号明細書
【特許文献１３】米国特許出願公開第２０１１／０１２７９１４号明細書
【特許文献１４】米国特許出願公開第２０１３／００５０９８５号明細書
【特許文献１５】米国特許出願公開第２０１２／０１３４１５７号明細書
【発明の概要】
【発明が解決しようとする課題】
【０００８】
したがって、空気流を使用して揺らめく炎の効果を生成する改良された電気キャンドル及び他の光源が依然として必要とされている。
【課題を解決するための手段】
【０００９】
本発明の主題は、ファン又は他の装置によって生じるような空気流を用いて電気キャンドル又は他の光源において、揺らめく炎の効果を生成することができる器具、システム及び方法を提供する。
【００１０】
１つの意図される実施形態では、電気照明（ｅｌｅｃｔｒｉｃ  ｌｉｇｈｔ）は外側ハウジングを有し、ハウジングの上側面に開口を有する。炎要素が開口を通って延びていてもよく、好ましくはハウジング内に取り付けられる。ファンを、外側ハウジング内に配置することができ、ファンの回転によってハウジング内で空気を移動させることで炎要素の動きを生成するようにする。ハウジングは、その内部に配置される空気導管を更に含むことができ、空気導管は、空気を炎要素に対して方向付けるのに用いることができる。好ましい実施形態では、炎要素の第１の端部が、空気導管の端部付近に、好ましくは導管の端部に隣接して配置される。これは有利には、炎要素が、空気導管から又は空気導管内に流れる空気を最大限に利用することを可能にし、必要とされるファンの全体的なサイズ、ファンを動作させるのに必要な動力を低減することによって、バッテリ寿命を増大させ、ファンの出力を低減することができる。
【００１１】
別の意図される実施形態では、電気照明は外側ハウジングを含むことができ、外側ハウジングは、ハウジングの上側面に開口を有し、開口を通って延びる炎要素を有する。照明は、拡張可能なベローズを含むことができ、拡張可能なベローズは、ベローズが収縮すると空気を吹き出すように構成されており、それによって炎要素を動かす。幾つかの意図される実施形態では、ベローズの表面のうちの少なくとも１つが、鉄材料又は磁石を含み得る。照明は、ベローズを収縮させ、それによってハウジング内に空気流を生成するように構成されている電磁石を更に含むことができる。
【００１２】
更に別の意図される実施形態では、電気照明は、外側ハウジング、及び、外側ハウジングから延びる炎要素を含むことができる。ファンを、外側ハウジング内に配置し、外側ハウジング又は内側ハウジング内で空気を移動させることができる。芳香カートリッジを、芳香カートリッジの一部がファンに隣接して配置されるように、ハウジング内に、好ましくは外側ハウジングの開口を介して取り外し可能に挿入することができる。好ましくは、芳香カートリッジの露出した部分がファンに隣接して配置される。
【００１３】
別の意図される実施形態では、電気キャンドルは、取り外し可能な芳香モジュールを受け入れるように構成されている第１の開口部を有する外側ハウジングを含むことができる。炎要素が外側ハウジングから延びていてもよい。ファンを、外側ハウジング内に配置し、外側ハウジング又は内側ハウジング内で空気を移動させることができる。炎要素は、ハウジング内に配置される炎要素の下側部分に芳香モジュールを含み得ることが意図されている。しかしながら、代替的な実施形態では、芳香カートリッジを、該芳香カートリッジの少なくとも一部がハウジング内に配置されるように、第１の開口部に挿入してもよい。
【００１４】
本発明の主題の種々の目的、特徴、態様及び利点は、同様の番号が同様の構成部材を表す添付の図面とともに好ましい実施形態の以下の詳細な説明からより明らかとなるであろう。
【図面の簡単な説明】
【００１５】
【図１Ａ】電気照明装置の１つの実施形態の正面図である。
【図１Ｂ】電気照明装置の１つの実施形態の縦断面図である。
【図２】電気照明装置の別の実施形態の拡大縦断面図である。
【図３Ａ】電気照明装置の別の実施形態の正面図である。
【図３Ｂ】電気照明装置の別の実施形態の縦断面図である。
【図４Ａ】電気照明装置の別の実施形態の内部構成部材の正面図である。
【図４Ｂ】電気照明装置の別の実施形態の内部構成部材の分解図である。
【図４Ｃ】図４Ａの装置の炎要素の正面図である。
【図４Ｄ】図４Ａの電気照明装置の組み立てられた構成部材の上面斜視図である。
【図４Ｅ】図４Ａの電気照明装置の組み立てられた構成要素の底面斜視図である。
【図５Ａ】図４Ａの電気照明装置の略図の斜視図である。
【図５Ｂ】図４Ａの電気照明装置の略図の縦断面図である。
【図６】電気照明装置の２つの付加的な実施形態のうちの一方の縦断面図である。
【図７】電気照明装置の２つの付加的な実施形態のうちの一方の縦断面図である。
【図８】電気照明装置において用いるベルヌーイ管の１つの実施形態の正面図である。
【図９】空気流が電気照明装置内で上方及び下方にそれぞれ移動する該電気照明装置の２つの付加的な実施形態のうちの一方の縦断面図である。
【図１０】空気流が電気照明装置内で上方及び下方にそれぞれ移動する該電気照明装置の２つの付加的な実施形態のうちの一方の縦断面図である。
【図１１Ａ】ハウジングの側壁に凹部を有する電気照明装置の別の実施形態の正面図である。
【図１１Ｂ】ハウジングの側壁に凹部を有する電気照明装置の別の実施形態の縦断面図である。
【図１２】電気照明装置の底部の２つの異なる実施形態のうちの一方を示す図である。
【図１３】電気照明装置の底部の２つの異なる実施形態のうちの一方を示す図である。
【図１４】電気照明装置の炎要素の２つの異なる実施形態のうちの一方の正面図である。
【図１５】電気照明装置の炎要素の２つの異なる実施形態のうちの一方の正面図である。
【図１６】電気照明装置の別の実施形態の縦断面図である。
【発明を実施するための形態】
【００１６】
以下の説明は、本発明の主題の多くの例示的な実施形態を提供する。各実施形態は、発明の要素の単一の組み合わせを提示するが、その発明の主題は、開示される要素の全ての可能な組み合わせを含むものとみなされる。したがって、１つの実施形態が要素Ａ、Ｂ及びＣを含み、第２の実施形態が要素Ｂ及びＤを含む場合、発明の主題は、明示的に開示されていなくても、Ａ、Ｂ、Ｃ又はＤの他の残りの組み合わせを含むものともみなされる。
【００１７】
図１Ａ及び図１Ｂにおいて、火がついたキャンドルの揺らめく炎を模倣するように構成されている電気照明１００の１つの実施形態が示されている。照明１００は、従来のろうそくの外側本体に似せるように好ましくは構成される外側ハウジング１０２を含むことができる。これは、部分的に溶けたキャンドルに似せるように、蝋が滴る彫刻を施した上側外周を含むことができる。当然ながら、外側ハウジング１０２は、本発明の範囲から逸脱することなく任意の市販の好適な材料から構成することができる。
【００１８】
電気照明１００は好ましくは、照明１００内で空気流を生じさせるのに十分なファン１１０又はタービンであって、ハウジング１０２内に配置されるファン１１０又はタービンを含む。図１Ｂに示されているように、ファン１１０は空気導管１２０内に配置することができ、空気導管１２０は、可動炎要素１０４の下側部分に衝突するように空気流を方向付けるのに役立つ。しかしながら、代替的な実施形態では、ファン１１０は、例えば空気導管の下又は上など、導管の外側に配置してもよいことが意図される。ファン１１０は回路基板１１２の上に取り付けられて示されているが、他の実施形態では、ファンは、回路基板１１２とは別個に配置してもよい。ファンが回路基板の下に配置される場合、空気が該基板を通って流れることを可能にするように回路基板が１つ又は複数の空気穴を含み得ることが意図されている。
【００１９】
炎要素１０４は好ましくは、上側部分１１３及び下側部分１１４を有し、上側部分は、外側ハウジング１０２の穴１０６を通って延び、炎の形状を模倣する凹状部分（ｃｏｎｃａｖｅ  ｐｏｒｔｉｏｎ）を有する。炎要素は、炎要素１０４の穴１０９を通って延びる支持ワイヤ１０８を用いてハウジング１０２内に取り付けることができ、炎要素１０４がワイヤ１０８を中心に回動することを可能にする。穴１０９がワイヤ１０８の直径よりも大きいことが特に好ましく、炎要素１０４が、炎の効果を高めるように２つ以上の動きの度合いを有するようにする。
【００２０】
このように、ファンブレードが回転すると、空気が導管１２０を通して炎要素１０４に向かって引き込まれ、外側ハウジング１０２に対して炎要素１０４を動かす。図１Ｂに示されているように、芳香カートリッジ１３０をハウジング１０２の底部に挿入することができ、好ましくはハウジング内に配置し、空気が照明１００内に引き込まれると、芳香カートリッジ１３０を通り過ぎた空気、及び、穴１０６又は他の出口を通って照明１００から出る空気が芳香される。しかしながら、芳香カートリッジの他の位置も意図される（例えばファンの上、側壁等）。芳香カートリッジ１３０は、所望時にカートリッジ１３０を交換することができるように、ハウジング１０２内に取り外し可能に挿入可能であることが好ましい。したがって、使用者の所望に応じて様々な芳香を経時にわたって使用することが可能であることが意図される。
【００２１】
１つ又は複数の光源を配置することができ、光を、１つ又は複数の光源から、鏡、光ファイバケーブル又は他の手段等の使用によって炎要素１０４に直接的又は間接的に発することができるようにする。
【００２２】
照明１００は、１つ又は複数のバッテリを受け入れるように構成されているバッテリ区画１４０を更に含むことができる。代替的に又は付加的に、照明１００が、照明１００に電力を提供するように太陽電池を含むことができることが意図される。照明１００が、１つ又は複数の充電式バッテリを含むことができるか、及び／又は、誘導若しくは他の市販の好適な手段等によって、線間電圧若しくは無線充電ステーションを介して給電され得ることが更に意図される。
【００２３】
炎要素が、中心を合わせられるか若しくは中心からずらされる１つ又は複数の重りを含むか、又は、炎要素と、炎要素を通過して流れる空気との様々な相互作用を生じることができる１つ又は複数の材料から構成され得ることが意図される。
【００２４】
幾つかの意図される実施形態では、照明１００は、ファンを様々なファン速度サイクルで動作させて炎要素による揺らめく炎の効果を生成するのに役立つファンコントローラを含むことができる。したがって、長い時間期間にわたってファンを連続的に単に稼働させるのではなく、ファンはその代わりに、揺らめく炎の効果を生成するように、様々な速度、様々な持続時間で稼働するか、及び／又は規定の時間期間でオンオフすることができる。ファンの動作におけるこれらの変化は、特定の時間期間内で繰り返しても又は繰り返さなくてもよい。
【００２５】
例示的な実施形態では、ファンが５００ミリ秒〜２秒間稼働し、次いで、５００ミリ秒〜３秒の期間オフにすることができることが意図される。当然ながら、ファンの特定のパターン及び稼働持続時間及び頻度は、キャンドルのサイズ、炎要素の材料、及び所望の効果に応じて変えることができる。
【００２６】
別の意図される実施形態では、ファンは、通常の速度の２０％で３秒間稼働し、次いで、規定の時間期間にわたって通常の速度に増大することができる。そのようなパターンは、低下した速度と通常の速度との間で交互にすることができ、低下した速度のセグメントの頻度は、一定であるか又は経時にわたって変化させ得ることが意図される。
【００２７】
更に別の実施形態では、ファンは以下のパターンで稼働することができる：３秒間１００％の出力、次に５００ミリ秒間オフ、続いて１秒間１００％の出力、次に１秒間オフ、続いて５００ミリ秒〜５秒の期間１００％の出力、次いで５秒間オフ。その後、このパターンを、ファンがオンである間繰り返す、又は、ファン動作の１つ又は複数の交互のパターンと交互にすることができる。当然ながら、ファンの速度はそのパターン内で変えてもよい。
【００２８】
図２は、ファン２１０を有する照明２００の別の実施形態を示しており、ファン２１０は、照明２００内で空気を移動させるときに炎要素２０４を動かすように構成されている。炎要素２０４は、上側端（第１の端部）２１３及び下側端（第２の端部）２１４を含むことができる。上側端２１３は好ましくは、ハウジング２０２から穴２０６を通って上方に延びている。下側端２１４は好ましくは、第１のスプライン（ブレード）２１７及び第２のスプライン（ブレード）２１８を有する羽根を含む。スプライン２１７及び２１８のそれぞれは、湾曲した部分を有することができ、スプライン２１７及び２１８が螺旋状であることが特に好ましい。スプライン２１７及び２１８のそれぞれの特定の曲率は、スプライン２１７及び２１８が、ファン２１０によって生じる空気流がスプライン２１７及び２１８に衝突すると生じる力を最大限に高め、それによって炎要素２０４を動かすことができるように設定される。
【００２９】
幾つかの意図される実施形態では、炎要素は、射出成形プラスチック片を含むことができる。しかしながら、スプライン２１７及び２１８がプラスチックに加えて又はプラスチックの代替として異なる材料を含み得ることも意図される。例えば、スプラインは、木材若しくは紙等の繊維性材料、又は、スプラインが磁場と相互作用することを可能にするように鉄材料を含むことができる。加えて、スプラインは、それらの組成に応じて成形、形成又はスタンプ成形することができる。図２の残りの番号に関して、図１Ｂの同様の番号を有する同様の構成部材の同じ考察が当てはまる。
【００３０】
図３Ａ及び図３Ｂは、炎要素３０４を動かすように構成されているファン３１０を有する照明３００の別の実施形態を示している。照明３００は有利には、照明３００を標準的な照明ソケットに挿入することを可能にするように構成されており、照明３００をソケットに結合するエジソンねじフィッティングを有するベース部分３５０を含むことができる。このように、照明３００は、照明３００に電力を提供するようにも働く、従来のランプ、枝付き燭台、壁取り付け用燭台及び他の器具に配置することができる。標準的な照明ソケットではなく、照明３００をバイピン又はバヨネットマウント等の他の照明ソケットに挿入することを可能にするようにベース部分３５０を構成できることが意図される。図３Ａ及び図３Ｂのそれぞれの残りの番号に関して、図１Ｂの同様の番号を有する同様の構成部材の同じ考察が当てはまる。
【００３１】
図４Ａ〜図４Ｅは、照明装置４００の一実施形態を示している。図４Ａは、外側の蝋シェル又は他のハウジングを含むことができる装置４００の内部構造を示している。装置４００は炎要素４０４を含むことができ、炎要素４０４の一部が内部ハウジング４０５から穴４２１を通って延びる。
【００３２】
炎要素４０４は好ましくは、上側端（第１の端部）４１３及び下側端（第２の端部）４１４を含み、上側端４１３は内部ハウジング４０５から離れるように延び、下側端４１４は、第１のブレード４１７及び第２のブレード４１８を有する羽根を含む。図４Ｃに最も良く示されているように、第１のブレード４１７及び第２のブレード４１８は好ましくは、炎要素４０４の中央部分から外方に延びる。平坦な片として示されているが、ブレードのいずれか又は双方は、湾曲した部分を有してもよいことが意図される。羽根が、羽根を通過する空気流に起因して炎要素４０４の動きを容易にするように３つ以上のブレードを含み得ることも意図される。
【００３３】
図４Ｄ及び図４Ｅに示されているように、ブレード４１７及び４１８間の最大距離が、ファン４１０の直径に等しいか又はファン４１０の直径の１０％の範囲内に入ることが好ましい。これは、ファン４１０によって生成される空気流の大きい割合がブレード４１７及び４１８並びに炎要素４０４に衝突することを確実にすることによって、装置４００の効率を高めるのに役立ち得る。
【００３４】
内部ハウジング４０５が、空気導管の直径に等しい直径を有し、空気導管４２０から流れる空気の全てではないにしても大部分が、炎要素４０４の羽根４１４が位置する内部ハウジング４０５に流れることが好ましい。このように、炎要素４０４を動かすための増大した電力又はより大きいファンの必要性を回避するように空気流の漏れを最小限に抑えることができる。同様に、ファン４１０が空気を炎要素４０４から引き離すように構成されている場合、空気は好ましくは内部ハウジング４０５から空気導管４２０に流れる。
【００３５】
装置４００は、カバー４４２を有するバッテリ区画４４０を含むことができる。図４Ｂに示されているように、カバー４４２を取り外すことによって、芳香カートリッジ４３０を挿入することができるスロットが現れる。次に、空気が装置４００内で移動すると芳香が通気口４３２から発散し得る。したがって、芳香カートリッジを、所望時に、カバー４４２を単に取り外すとともにカートリッジ４３０を引っ張り出すことによってより容易に交換することができる。
【００３６】
図４Ａ〜図４Ｅのそれぞれの残りの番号に関して、図１Ｂの同様の番号を有する同様の構成部材の同じ考察が当てはまる。
図５Ａ及び図５Ｂは、図４Ａ〜図４Ｅに示されている装置４００の概略図である。図５Ｂにおいて最も良く分かるように、芳香カートリッジ４３０は、装置４００の底部の開口部に挿入することができる。それによって、芳香カートリッジ４３０の上部をファン４１０に隣接して位置決めすることができ、空気が芳香カートリッジ４３０を通過して流れて開口部４２１を通って放出され得る。好ましくは、壁４３４が、スクリーン又は他の空気導管を含み、芳香が、カートリッジ４３０から、空気導管４２０を通過する空気に拡散することを可能にする。
【００３７】
装置４００は、炎要素４０４に光を放つように配置されている光源４６０を更に含むことができる。光源は好ましくはＬＥＤを含むが、任意の市販の好適な光源を用いてもよい。
【００３８】
ファン４１０は鉛直なファンブレードを有するものとして示されているが、水平なブレード又は角度が付いたブレードも意図される。図５Ａ及び図５Ｂのそれぞれの残りの番号に関して、図１Ｂの同様の番号を有する同様の構成部材の同じ考察が当てはまる。
【００３９】
図６は照明装置６００の別の実施形態を示しており、照明装置６００は、装置６００内で空気を移動させるように構成されている拡張可能なベローズ６１０を有する。装置６００は、上側面に、炎要素６０４が通って延びることができる穴６０６を有する外側ハウジング６０２を含む。好ましくは、炎要素６０４は、支持要素６０８又は他の機構を介してハウジング６０２内に取り付けられ、炎要素６０４が、支持要素６０８を中心に回動し、より好ましくは、少なくとも２つの軸を中心に動くことができるようにする。炎要素６０４は、下側部分に、第１のスプライン６１７及び第２のスプライン６１８を有する羽根６１４を含むことができ、そのそれぞれが好ましくは湾曲した表面を有する。好ましくは、羽根６１４は、ベローズ６１０の第１の表面６６２の開口部６６７に隣接して配置される。
【００４０】
ベローズ６１０は好ましくは、外側ハウジング６０２内の炎要素６０４の下に配置され、外側ハウジング６０２内で空気を移動させ、それによって炎要素６０４を動かすように構成されている。ベローズは好ましくは、圧潰可能な壁６６５を介して互いに結合することができる第１の表面６６２及び第２の表面６６４を含む。このように、表面６６２及び６６４が互いに近づくと、又は、表面６６２若しくは６６４のうちの一方が他方の表面に近づくと、壁６６５は圧潰することができる。好ましくは、壁６６５は、例えばプラスチック又はゴム等の可撓性材料を含む。
【００４１】
ベローズ６１０は、ベローズ６１０の内部の空洞に空気が通って出入りすることができる開口部６６７を更に含む。好ましくは、表面６６２又は６６４のうちの一方は、鉄材料又は１つ又は複数の磁石を含み、電磁石コイル６６８が他方の表面付近に配置される。このように、コイル６６８は、磁石又は鉄材料を有する表面を、この表面と、コイルによって生成される電磁場との相互作用によって他方の表面に向かって移動させ、それによってベローズ６１０を圧潰させてベローズ６１０の内部の空洞から空気を吹き出させることができ、これによって炎要素６０４を動かすことができる。同様に、電磁場の極性を逆にし、それによって、表面を他方の表面から離すように移動させることでベローズ６１０を拡張させる。炎要素６０４がハウジング６０２内に取り付けられる方法によって、ベローズは炎要素６０４を動かすために少量の空気の吹き出ししか生成する必要がないことが意図される。好ましくは、スプライン６１７及び６１８間の最大距離は、穴６６７の直径に等しいか又はほぼ等しい。
【００４２】
コイル６６８がベローズ６１０の下に配置された状態で示されているが、コイル６６８は代替的に、ベローズ６１０の上に、表面６６２のより近くに配置してもよいことも意図される。そのような実施形態では、コイル６６８は、下側面６６４を、上側面６６２に向かって上方に移動させ、それによってベローズ６１０を圧潰させることができる。
【００４３】
芳香カートリッジ６３０は、ハウジング６０２の底面を通して挿入することができ、ベローズ６１０を出る空気の少なくとも一部が芳香カートリッジ６３０に接触することができるように、芳香カートリッジ６３０の少なくとも一部をベローズ６１０に隣接して配置することができる。
【００４４】
図７は、外側ハウジング７０２の上側面の穴７０６を通って少なくとも部分的に延びる炎要素７０４を含む照明装置７００の別の実施形態を示している。装置７００は、ハウジング７０２内に配置される空気導管７２０を更に含むことができる。好ましくは、空気導管はベルヌーイ管を含むが、他の市販の好適な構造が意図される。ベルヌーイ管は有利には、ファン７１０の負荷を低減することを可能にし、したがって、炎要素７０４を動かすためのより低いファンの速度及び／又は低下したファンのサイズを可能にする。導管は、プラスチック、ボール紙、又は任意の他の市販の好適な材料から形成することができる。
【００４５】
図７に示されているように、ファン７１０は空気導管７２０の第１の端部に配置することができるが、代替的な実施形態では、ファンを導管７２０内に配置してもよいことが意図される。炎要素７０４、及び特に炎要素の羽根７１４は、導管７２０の口７２１に隣接して配置することができ、口７２１を通って導管７２０から出る空気が羽根７１４に衝突するようにする。
【００４６】
ハウジング７０２が細長い場合、回路基板７１２を、ハウジング７０２の内部に嵌まるように湾曲させてもよいことが意図される。したがって、例えば、回路基板７１２は、ハウジング６０２の外周に平行になるように湾曲させることができる。図７の残りの番号に関して、図１Ｂ及び図２の同様の番号を有する同様の構成部材の同じ考察が当てはまる。
【００４７】
図８は、上述したような空気導管の代わりに使用することができるベルヌーイ管８２０の別の実施形態を示している。ベルヌーイ管は３つの別個のセクションを含むことができ、セクションはそれぞれ、縮小する直径を有し、凝縮（ｃｏｎｄｅｎｓｉｎｇ）セクションを介して隣接するセクションに結合される。
【００４８】
図９及び図１０は、照明装置９００及び１０００の２つの更なる実施形態をそれぞれ示している。図９では、照明装置９００は、装置９００に対して空気を上方向（例えば炎要素９０４に向かって）移動させるように構成されているファン９１０を有する。対照的に、図１０では、照明装置１０００は、装置１０００に対して空気を下方向（例えば炎要素１００４から離れるように）移動させるように構成されているファン１０１０を有する。当然ながら、ファン９１０又は１０１０は、ファンからの空気流の方向を変えるようにそのブレードの回転を逆にすることができるよう構成することができる。装置９００及び１０００は、好ましくはファン９１０及び１０１０にそれぞれ隣接して配置される１つ又は複数の芳香カートリッジ９３０及び１０３０をそれぞれ含むことができる。
【００４９】
図９に示されているように、装置９００は、空気がハウジング９０２を出ることができるように、ハウジング９０２の底面を載置面から持ち上げる脚部９７０を含むことができる。代替的には、空気は、底面の１つ又は複数の通気口を通ってハウジング９０２に入ってもよい。図９及び図１０のそれぞれの残りの番号に関して、図１Ｂの同様の番号を有する同様の構成部材の同じ考察が当てはまる。
【００５０】
図１１Ａ及び図１１Ｂでは、芳香カートリッジを受け入れるように構成されている凹部１１８０をその外側ハウジング１１０２に有する照明装置１１００の別の実施形態が示されている。そのような実施形態では、芳香カートリッジが、例えば２つの半リングを含むことができ、そのそれぞれを凹部１１８０に挿入することができることが意図される。これは有利には、複数の芳香を同時に使用することを可能にする。代替的には、芳香カートリッジ１１３０は、ハウジングの底面又は別の位置を通して挿入してもよく、凹部が、ファン１１１０と炎要素１１０４との間に配置される通気孔として働くことを可能にする。図１１Ａ及び図１１Ｂのそれぞれの残りの番号に関して、図１Ｂの同様の番号を有する同様の構成部材の同じ考察が当てはまる。
【００５１】
図１２及び図１３は、照明装置１２００及び１３００の２つの更なる実施形態の底面をそれぞれ示している。図１２では、照明装置１２００は、芳香カートリッジ１２３０を挿入することができる底面１２０２を有する。芳香カートリッジ１２３０は好ましくは、カートリッジを捻ってロック又はロック解除することによって装置１２００内に固定することができる。図１３では、照明装置１３００も、芳香カートリッジ１３３０を挿入することができる底面１３０２を有する。しかしながら、ここで、芳香カートリッジ１３３０は、カチッと鳴るまで芳香カートリッジ１３３０を押すことによって装置１３００内に固定することができる。カートリッジ１３３０を取り外すには、使用者は単にカートリッジ１３３０を再び押して、これによって、カートリッジ１３３０が装置１３００から部分的に押し出され得る。
【００５２】
図１４には、上側部分１４１３及び下側部分１４１４を有する炎要素１４０４の１つの実施形態が示されている。下側部分１４１４は、好ましくは湾曲している２つ以上のスプライン１４１７及び１４１８を有する羽根を好ましくは含む。スプライン１４１７及び１４１８のそれぞれは、回動点１４１９を中心に回転され得ることが意図される。図１５は、上側部分１５１３及び下側部分１５１４を有する炎要素１５０４の別の実施形態を示している。下側部分１５１４も、それぞれが湾曲した表面を有する、２つ以上のスプライン１５１７及び１５１８を有する羽根を含むことができる。下側部分１５１４は、回動点１５１９を介して上側部分１５１３に結合することができ、これによって、下側部分１５１４並びにスプライン１５１７及び１５１８が上側部分に対して回転することを可能にする。
【００５３】
図１６は、ファン１６１０が空気導管１６２０に隣接して配置されるハウジング１６０２を含む照明装置１６００のまた別の実施形態を示している。他の実施形態では、ファン１６１０を空気導管１６２０内に配置してもよいことが意図される。芳香カートリッジ１６３０が好ましくは、カートリッジ１６３０の上側部分がファン１６１０に隣接して配置されるように、底面を介してハウジング１６０２内に挿入される。当然ながら、カートリッジ１６３０は代替的にはハウジング１６０２の側面又は上側面を通して挿入してもよい。
【００５４】
装置１６００は、炎要素１６０４がハウジング１６０２に対して動くことができるように、該ハウジング内に取り付けられる炎要素１６０４を更に含む。炎要素は、下側部分に、第１のスプライン１６１７及び第２のスプライン１６１８を含む羽根１６１４を有する。羽根の直径（例えば各スプラインの端部間の最大距離）が、羽根１６１４に最も近い空気導管１６２０の口の直径に等しく、羽根に最も近い空気導管の口の直径の１０％差と同じくらいであることが特に好ましい。これは有利には、無駄になりかねない、羽根１６１４に衝突する空気の量を最大限に高める。これは、より小さいファンを用いること、及び／又は、より低いファンの速度を可能にし、それによって、装置の動作時に必要な電力量を低減する。したがって、意図される装置は、記載したような空気導管を有しない同様の装置と比較してより長い時間期間稼働するか、又は、より低いバッテリ電力要件で同じ時間期間にわたって稼働することができる。図１６の残りの番号に関して、図１Ｂの同様の番号を有する同様の構成部材の同じ考察が当てはまる。
【００５５】
幾つかの実施形態では、本発明の特定の実施形態を記載及び特許請求するために用いられる、成分の量を表す数字、濃度、反応条件等の性質等は、幾つかの場合に「約」という用語によって修飾されるものと理解されるべきである。したがって、幾つかの実施形態では、本明細書及び添付の特許請求の範囲に記載される数値パラメータは、特定の実施形態によって得られると考えられる所望の特性に応じて変わり得る近似値である。幾つかの実施形態では、数値パラメータは、報告される有意な桁の数を考慮して、通常の四捨五入技法を適用することによって解釈されるべきである。本発明の幾つかの実施形態の広範な範囲を記載する数値範囲及びパラメータが近似値であるにもかかわらず、特定の例において記載される数値は実施可能に正確に報告される。本発明の幾つかの実施形態において提示される数値は、それらのそれぞれの試験測定において見られる標準偏差に必然的に起因する特定の誤差を含む場合がある。
【００５６】
本明細書における記載、及び以下の特許請求の範囲を通して用いられる場合、「ａ」、「ａｎ」及び「ｔｈｅ」の意味は、文脈によって別途はっきりと指示されない限り、複数の指示対象を含む。また、本明細書における記載において用いられる場合、「ｉｎ」の意味は、文脈によって別途はっきりと指示されない限り、「ｉｎ」及び「ｏｎ」を含む。
【００５７】
本明細書における値の範囲の列挙は単に、その範囲内に入る各別個の値に個々に言及する簡潔な方法として働くことが意図される。本明細書において別途示されない限り、各個々の値は、本明細書において個々に列挙されるかのように本明細書に援用される。本明細書において記載される全ての方法は、本明細書において別途示されるか又は文脈によって別様に明らかに矛盾しない限り、任意の好適な順序で行うことができる。本明細書における特定の実施形態に関して与えられるあらゆる例又は例を表す文言（例えば「等」）の使用は、本発明をより分かりやすくすることが単に意図され、別様に特許請求される本発明の範囲を限定するものではない。明細書中の文言はいずれも、本発明の実施に必須である何らかの特許請求の範囲に記載されない要素を示すものとして解釈されるべきではない。
【００５８】
本明細書において開示される本発明の代替的な要素又は実施形態のグループ分けは、限定として解釈されるべきではない。各グループの構成要素は、個々に、又は、本明細書において見られるグループの他の構成要素若しくは他の要素との任意の組み合わせで言及及び特許請求することができる。グループの１つ又は複数の構成要素は、簡便性及び／又は特許性の理由からグループに含めることができるか又はグループから排除することができる。任意のそのような包含又は排除が行われる場合、明細書は、変更されたグループを含むものとみなされ、したがって、添付の特許請求の範囲において用いられる全てのマーカッシュグループの説明を満たす。
【００５９】
本明細書において用いられる場合、文脈によって別途指示されない限り、「結合される（ｃｏｕｐｌｅｄ  ｔｏ）」という用語は、直接的な結合（互いに結合される２つの要素が互いに接触する）、及び、間接的な結合（少なくとも１つの付加的な要素が２つの要素の間に位置する）の双方を含むことが意図される。したがって、「結合される（ｃｏｕｐｌｅｄ  ｔｏ）」及び「結合される（ｃｏｕｐｌｅｄ  ｗｉｔｈ）」という用語は同義に用いられる。
【００６０】
当業者には、本明細書における発明の概念から逸脱することなく、既に記載したものに加えてより多くの変更形態が可能であることが明らかであるはずである。したがって、本発明の主題は、添付の特許請求の範囲の範囲以外では限定されるべきではない。さらに、明細書及び特許請求の双方を理解する上で、全ての用語は、文脈に一致して可能な限り広範に解釈されるべきである。特に、「含む（”ｃｏｍｐｒｉｓｅｓ”  ａｎｄ  ”ｃｏｍｐｒｉｓｉｎｇ”）」という用語は、要素、構成部材又はステップに非排他的に言及するものとして解釈されるべきであり、言及される要素、構成部材若しくはステップが存在することができるか、又は使用することができるか、又は明示的に言及されていない他の要素、構成部材若しくはステップと組み合わせられることを示す。明細書及び特許請求の範囲がＡ、Ｂ、Ｃ・・・及びＮからなる群から選択される何かのうちの少なくとも１つに言及する場合、その文章は、ＡとＮ又はＢとＮ等ではなく、その群からの１つのみの要素を必要とするものとして解釈されるべきである。
【要約】照明装置であって、空気を装置内で移動させることによって炎要素を動かし、実際の炎の動きを模倣するファン又は他の手段を有する照明装置が記載される。幾つかの実施形態では、装置から出る空気を芳香することができるように、１つ又は複数の芳香カートリッジを装置内に配置することができる。好ましくは、装置は、空気を炎要素に対して方向付けることによって装置の効率を高める空気導管を含む。【図１Ａ】
0005827451.tif 000002
【図１Ｂ】
0005827451.tif 000003
【図２】
0005827451.tif 000004
【図３Ａ】
0005827451.tif 000005
【図３Ｂ】
0005827451.tif 000006
【図４Ａ】
0005827451.tif 000007
【図４Ｂ】
0005827451.tif 000008
【図４Ｃ】
0005827451.tif 000009
【図４Ｄ】
0005827451.tif 000010
【図４Ｅ】
0005827451.tif 000011
【図５Ａ】
0005827451.tif 000012
【図５Ｂ】
0005827451.tif 000013
【図６】
0005827451.tif 000014
【図７】
0005827451.tif 000015
【図８】
0005827451.tif 000016
【図１１Ａ】
0005827451.tif 000017
【図１４】
0005827451.tif 000018
【図１５】
0005827451.tif 000019
【図１６】
0005827451.tif 000020
【図９】
0005827451.tif 000021
【図１０】
0005827451.tif 000022
【図１１Ｂ】
0005827451.tif 000023
【図１２】
0005827451.tif 000024
【図１３】
0005827451.tif 000025